(57)【要約】【課題】コンパクトで高い結像性能を有する撮像レンズ、およびその撮像レンズを搭載して高解像の撮像信号を得ることができるカメラモジュールならびに撮像機器を提供する。【解決手段】物体側から順に、正のパワーを有する第１レンズＧ１と、負のパワーを有する第２レンズＧ２と、像側の面が凸面で正のパワーを有する第３レンズＧ３と、物体側の面が光軸近傍において凹面または平面であり、負のパワーを有する第４レンズＧ４とを備え、かつ以下の条件式を満足する。Ｒ１は第１レンズＧ１の物体側の面の曲率半径、Ｒ２は第２レンズＧ２の像側の面の曲率半径とする。  ０．５＜（｜Ｒ２｜−Ｒ１）／（Ｒ１＋｜Ｒ２｜）  ……（１）【選択図】図１
2010102162.tif 000002
【特許請求の範囲】
【請求項１】
物体側から順に、
正のパワーを有する第１レンズと、
負のパワーを有する第２レンズと、
像側の面が凸面で正のパワーを有する第３レンズと、
物体側の面が光軸近傍において凹面または平面であり、負のパワーを有する第４レンズと
を備え、
かつ以下の条件式を満足するように構成されている
ことを特徴とする撮像レンズ。
０．５＜（｜Ｒ２｜−Ｒ１）／（Ｒ１＋｜Ｒ２｜）  ……（１）
ただし、
Ｒ１：第１レンズの物体側の面の曲率半径
Ｒ２：第２レンズの像側の面の曲率半径
とする。
【請求項２】
さらに以下の条件式を満足する
ことを特徴とする請求項１に記載の撮像レンズ。
０．６＜｜ｆ４／ｆ｜＜１．０  ……（２）
ただし、
ｆ：全体の焦点距離
ｆ４：第４レンズの焦点距離
とする。
【請求項３】
さらに以下の条件式を満足する
ことを特徴とする請求項１または２に記載の撮像レンズ。
０．５＜｜ｆ２／ｆ｜＜４  ……（３）
ただし、
ｆ２：第２レンズの焦点距離
とする。
【請求項４】
さらに以下の条件式を満足する
ことを特徴とする請求項１ないし３のいずれか１項に記載の撮像レンズ。
０．５＜ｆ３／ｆ＜２  ……（４）
ただし、
ｆ３：第３レンズの焦点距離
とする。
【請求項５】
さらに以下の条件式を満足する
ことを特徴とする請求項１ないし４のいずれか１項に記載の撮像レンズ。
２０＜ν１−ν２  ……（５）
ただし、
ν１：第１レンズのｄ線に対するアッベ数
ν２：第２レンズのｄ線に対するアッベ数
とする。
【請求項６】
前記第１レンズは光軸近傍における形状が物体側に凸面を向けたメニスカス形状である
ことを特徴とする請求項１ないし５のいずれか１項に記載の撮像レンズ。
【請求項７】
前記第２レンズが物体側に凸面を向けたメニスカス形状であり、
以下の条件式を満足する
ことを特徴とする請求項１ないし６のいずれか１項に記載の撮像レンズ。
０．１＜Ｄ４／ｆ＜０．３  ……（６）
ただし、
Ｄ４：第２レンズと第３レンズとの光軸上の間隔
とする。
【請求項８】
さらに以下の条件式を満足する
ことを特徴とする請求項１ないし７のいずれか１項に記載の撮像レンズ。
｜Ｒ５｜＞｜Ｒ６｜  ……（７）
ただし、
Ｒ５：第３レンズの物体側の面の曲率半径
Ｒ６：第３レンズの像側の面の曲率半径
とする。
【請求項９】
前記第１レンズ、前記第２レンズ、前記第３レンズ、および前記第４レンズのそれぞれにおいて、少なくとも１面に非球面を含んでいる
ことを特徴とする請求項１ないし８のいずれか１項に記載の撮像レンズ。
【請求項１０】
前記第１レンズ、前記第２レンズ、前記第３レンズ、および前記第４レンズがそれぞれ樹脂材料で構成されている
ことを特徴とする請求項１ないし９のいずれか１項に記載の撮像レンズ。
【請求項１１】
前記第１レンズがガラス材料で構成されている
ことを特徴とする請求項１ないし９のいずれか１項に記載の撮像レンズ。
【請求項１２】
光軸上において、前記第１レンズにおける物体側の面頂点位置と、前記第１レンズにおける像側の面頂点位置との間に絞りが配置されている
ことを特徴とする請求項１ないし１１のいずれか１項に記載の撮像レンズ。
【請求項１３】
前記絞りは、光軸上において、前記第１レンズにおける物体側の面頂点位置と、前記第１レンズにおける物体側の面の有効径内での端縁位置との間に配置されている
ことを特徴とする請求項１２に記載の撮像レンズ。
【請求項１４】
請求項１ないし１３のいずれか１項に記載の撮像レンズと、
前記撮像レンズによって形成された光学像に応じた撮像信号を出力する撮像素子と
を備えたことを特徴とするカメラモジュール。
【請求項１５】
請求項１４に記載のカメラモジュールを備えたことを特徴とする撮像機器。
【発明の詳細な説明】
【技術分野】
【０００１】
本発明は、ＣＣＤ（Charge Coupled Device）やＣＭＯＳ（Complementary Metal Oxide Semiconductor）等の撮像素子上に被写体の光学像を結像させる撮像レンズ、およびその撮像レンズにより形成された光学像を撮像信号に変換するカメラモジュール、ならびにその撮像レンズを搭載して撮影を行うデジタルスチルカメラやカメラ付き携帯電話機および情報携帯端末（ＰＤＡ：Personal Digital Assistance）等の撮像機器に関する。
【背景技術】
【０００２】
近年、パーソナルコンピュータの一般家庭等への普及に伴い、撮影した風景や人物像等の画像情報をパーソナルコンピュータに入力することができるデジタルスチルカメラが急速に普及している。また、携帯電話に画像入力用のカメラモジュールが搭載されることも多くなっている。このような撮像機能を有する機器には、ＣＣＤやＣＭＯＳなどの撮像素子が用いられている。近年、これらの撮像素子のコンパクト化が進み、撮像機器全体ならびにそれに搭載される撮像レンズにも、コンパクト性が要求されている。また同時に、撮像素子の高画素化も進んでおり、撮像レンズの高解像、高性能化が要求されている。
【０００３】
特許文献１ないし８には、３枚あるいは４枚のレンズで構成された撮像レンズが開示されている。これらの文献に記載されているように、特に４枚構成の撮像レンズとしては、物体側から順に、正、負、正、正のパワー配置とした構成や、正、負、正、負のパワー配置とした構成が知られている。このような４枚構成の撮像レンズの場合、最も撮像側のレンズは、近軸（光軸近傍）において物体側の面が凸形状であることが多い。一方で、特許文献７の実施例５，９には、正、負、正、負のパワー配置で、最も撮像側のレンズの光軸近傍における物体側の面形状が凹である構成が開示されている。
【０００４】
【特許文献１】特開２００２−２２１６５９号公報
【特許文献２】特開２００４−３０２０５７号公報
【特許文献３】特開２００４−３４１０１３号公報
【特許文献４】特開２００５−２４５８１号公報
【特許文献５】特開２００５−２４８８９号公報
【特許文献６】特許３４２４０３０号公報
【特許文献７】特開２００７−１７９８４号公報
【特許文献８】特開２００７−２１９０７９公報
【発明の開示】
【発明が解決しようとする課題】
【０００５】
上述したように近年の撮像素子は、小型化および高画素化が進んでいる。特に携帯用カメラモジュールの撮像レンズには従来、コスト面とコンパクト性が主に要求されていたが、最近では携帯用カメラモジュールにおいても撮像素子の高画素化が進む傾向にあり、性能面に対する要求も高くなってきている。このため、コスト面、性能面、およびコンパクト性を総合的に考慮した多種多様なレンズの開発が望まれており、性能面ではデジタルカメラへの搭載をも視野に入れた、ローコストで高性能な撮像レンズの開発が望まれている。上記各特許文献記載のレンズでは、例えば結像性能とコンパクト性との両立という点で不十分なところがある。また、特許文献７には様々な種類の４枚構成の撮像レンズが開示されているが、個々の構成例について十分に最適化条件が検討されているとは言い難い。
【０００６】
本発明はかかる問題点に鑑みてなされたもので、その目的は、コンパクトで高い結像性能を有する撮像レンズ、およびその撮像レンズを搭載して高解像の撮像信号を得ることができるカメラモジュールならびに撮像機器を提供することにある。
【課題を解決するための手段】
【０００７】
本発明による撮像レンズは、物体側から順に、正のパワーを有する第１レンズと、負のパワーを有する第２レンズと、像側の面が凸面で正のパワーを有する第３レンズと、物体側の面が光軸近傍において凹面または平面であり、負のパワーを有する第４レンズとを備え、かつ以下の条件式を満足するように構成されているものである。ただし、Ｒ１は第１レンズの物体側の面の曲率半径、Ｒ２は第２レンズの像側の面の曲率半径とする。
０．５＜（｜Ｒ２｜−Ｒ１）／（Ｒ１＋｜Ｒ２｜）  ……（１）
【０００８】
本発明による撮像レンズでは、全体として４枚というレンズ構成において、各レンズの形状等を適切に設定することで、コンパクト化に有利であると共に高い結像性能を得るのに有利となる。特に本発明の撮像レンズでは、最も撮像側のレンズ（第４レンズ）の光軸近傍における物体側の面形状を凹面または平面としながらも、全長の短縮化と結像性能に有利な構成されている。また、第１レンズの曲率半径に関して適切な条件式（１）を満足することで、像面湾曲の補正に有利であると共に、第１レンズの物体側の面の形状が比較的曲率が大きく前側に深い形状（曲率半径の小さい凸形状）となるので、第１レンズの物体側の面側に絞りを配置しやすくなる。
また特に、次の好ましい構成を適宜採用して満足することで、全長の短縮化や結像性能をさらに有利なものとすることができる。
【０００９】
本発明による撮像レンズにおいて、以下の条件を適宜選択的に満足することが好ましい。ただし、ｆは全体の焦点距離、ｆ２は第２レンズの焦点距離、ｆ３は第３レンズの焦点距離、ｆ４は第４レンズの焦点距離とする。ν１は第１レンズのｄ線に対するアッベ数、ν２は第２レンズのｄ線に対するアッベ数とする。Ｄ４は第２レンズと第３レンズとの光軸上の間隔とする。Ｒ５は第３レンズの物体側の面の曲率半径、Ｒ６は第３レンズの像側の面の曲率半径とする。
これらを適宜選択的に満足することにより、各レンズ構成がより最適化され、全長の短縮化や結像性能により有利となる。
０．６＜｜ｆ４／ｆ｜＜１．０  ……（２）
０．５＜｜ｆ２／ｆ｜＜４  ……（３）
０．５＜ｆ３／ｆ＜２  ……（４）
２０＜ν１−ν２  ……（５）
０．１＜Ｄ４／ｆ＜０．３  ……（６）
｜Ｒ５｜＞｜Ｒ６｜  ……（７）
【００１０】
また、第１レンズは光軸近傍における形状が物体側に凸面を向けたメニスカス形状であることが好ましい。また、第２レンズは、物体側に凸面を向けたメニスカス形状であることが好ましい。また、第１レンズ、第２レンズ、第３レンズ、および第４レンズのそれぞれにおいて、少なくとも１面に非球面を含んでいることが好ましい。
【００１１】
また、第１レンズ、第２レンズ、第３レンズ、および第４レンズはそれぞれ樹脂材料で構成しても良い。これにより、製造コストの低減に有利となる。ただし、高性能化を図るために、例えば第１レンズをガラス材料で構成しても良い。
【００１２】
また、本発明による撮像レンズは、光軸上において、第１レンズにおける物体側の面頂点位置と、第１レンズにおける像側の面頂点位置との間に絞りが配置されていても良い。好ましくは、より物体側、例えば光軸上において、第１レンズにおける物体側の面頂点位置と、第１レンズにおける物体側の面の有効径内での端縁位置との間に配置すると良い。
【００１３】
本発明によるカメラモジュールは、本発明の撮像レンズと、この撮像レンズによって形成された光学像に応じた撮像信号を出力する撮像素子とを備えたものである。
本発明によるカメラモジュールでは、本発明の撮像レンズによる高解像の光学像に基づいて高解像の撮像信号が得られる。また、また、本発明による撮像レンズは全長短縮化が図られているので、撮像レンズと組み合わせたカメラモジュール全体として小型化が図られる。
【００１４】
本発明による撮像機器は、本発明によるカメラモジュールを備えたものである。
本発明による撮像機器では、本発明のカメラモジュールによって得られた高解像の光学像に基づいて高解像の撮像信号が得られ、その撮像信号に基づいて高解像の撮影画像が得られる。
【発明の効果】
【００１５】
本発明の撮像レンズによれば、全体として４枚というレンズ構成において、各レンズの形状等を適切に設定し、所定の条件式を満足するようにしたので、コンパクト化と高い結像性能を実現できる。
【００１６】
また、本発明のカメラモジュールによれば、コンパクトで高い結像性能を有する上記本発明の撮像レンズによって形成された光学像に応じた撮像信号を出力するようにしたので、モジュール全体としての小型化を図れると共に高解像の撮像信号を得ることができる。
【００１７】
また、本発明の撮像機器によれば、上記本発明のカメラモジュールを搭載するようにしたので、カメラ部分の小型化を図れると共に高解像の撮像信号を得て、その撮像信号に基づいて高解像の撮影画像を得ることができる。
【発明を実施するための最良の形態】
【００１８】
以下、本発明の実施の形態について図面を参照して詳細に説明する。
図１は、本発明の一実施の形態に係る撮像レンズの第１の構成例を示している。この構成例は、後述の第１の数値実施例（図７（Ａ），（Ｂ））のレンズ構成に対応している。同様にして、後述の第２ないし第６の数値実施例のレンズ構成に対応する第２ないし第６の構成例の断面構成を、図２〜図６に示す。図１〜図６において、符号Ｒｉは、最も物体側のレンズ要素の面を１番目（絞りＳｔを０番目）として、像側（結像側）に向かうに従い順次増加するようにして符号を付したｉ番目の面の曲率半径を示す。符号Ｄｉは、ｉ番目の面とｉ＋１番目の面との光軸Ｚ１上の面間隔を示す。なお、各構成例共に基本的な構成は同じであるため、以下では、図１に示した撮像レンズの構成例を基本にして説明し、必要に応じて図２〜図６の構成例についても説明する。
【００１９】
本実施の形態に係る撮像レンズは、ＣＣＤやＣＭＯＳ等の撮像素子を用いた各種撮像機器、特に、比較的小型の携帯端末機器、例えばデジタルスチルカメラ、カメラ付き携帯電話機、およびＰＤＡ等に用いて好適なものである。この撮像レンズは、光軸Ｚ１に沿って、物体側から順に、絞りＳｔと、第１レンズＧ１と、第２レンズＧ２と、第３レンズＧ３と、第４レンズＧ４とを備えている。この撮像レンズの結像面（撮像面）Ｓimgには、ＣＣＤなどの撮像素子（図示せず）が配置される。第４レンズＧ４と結像面（撮像面）との間には、撮像面を保護するためのカバーガラス、赤外線カットフィルタやローパスフィルタなどの光学部材ＣＧが配置されていても良い。
この場合、光学部材ＣＧとして例えば平板状のカバーガラスに、赤外線カットフィルタやＮＤフィルタ等のフィルタ効果のあるコートが施されたものを使用しても良い。また、この撮像レンズにおいて、各レンズすべて、または少なくとも１つのレンズ面に赤外線カットフィルタやＮＤフィルタ等のフィルタ効果のあるコートや、反射防止のコートが施されていても良い。
【００２０】
絞りＳｔは、光学的な開口絞りであり、最も物体側に配置されていることが好ましい。ここで、「最も物体側」とは、図１および図４の構成例のように光軸Ｚ１上において第１レンズＧ１の物体側の面頂点位置に絞りＳｔが配置される場合のほか、その他の構成例のように第１レンズＧ１の物体側の面頂点位置と像側の面頂点位置との間に絞りＳｔが配置される場合をも含む意味である。絞りＳｔは好ましくは、光軸上において、第１レンズＧ１における物体側の面頂点位置と、第１レンズＧ１における物体側の面の有効径内での端縁位置Ｅ（図２参照）との間に配置すると良い。
【００２１】
第１レンズＧ１は、正のパワーを有している。第１レンズＧ１は、光軸近傍における形状が物体側に凸面を向けたメニスカス形状であることが好ましい。なお、本実施の形態においては図２の構成例では第１レンズＧ１の光軸近傍における形状が両凸形状であり、その他の構成例ではメニスカス形状とされている。
【００２２】
第２レンズＧ２は、負のパワーを有している。第２レンズＧ２は、物体側に凸面を向けたメニスカス形状であることが好ましい。なお、本実施の形態においては図２の構成例では第２レンズＧ２の光軸近傍における形状が両凹形状であり、その他の構成例ではメニスカス形状とされている。
【００２３】
第３レンズＧ３は、光軸近傍において像側の面が凸面で正のパワーを有している。第３レンズＧ３の物体側の面は、例えば光軸近傍において凹面とされている。
【００２４】
第４レンズＧ４は、物体側の面が光軸近傍において凹面または平面であり、負のパワーを有している。なお、本実施の形態においては図３の構成例では第４レンズＧ４の物体側の面が光軸近傍において平面であり、その他の構成例では第４レンズＧ４の物体側の面が光軸近傍において凹面とされている。また、第４レンズＧ４は、像側の面が光軸近傍にお凹面であることが好ましい。なお、第４レンズＧ４は中心部（光軸近傍）では負レンズとして作用しているため、中心部において両凹形状である方が第４レンズＧ４の像側の面の曲率を緩くできるため好ましい。
【００２５】
第１レンズＧ１、第２レンズＧ２、第３レンズＧ３、および第４レンズＧ４のそれぞれにおいて、少なくとも１面は非球面を含んでいることが好ましい。特に第４レンズＧ４は、像側の面が、光軸近傍では像側に凹形状で、周辺部では像側に凸形状となる非球面であることが好ましい。
【００２６】
ここで、特に非球面形状とする場合、第２レンズＧ２、第３レンズＧ３および第４レンズＧ４は、第１レンズＧ１と比べて複雑な形状になりやすく、また形状も大きくなりやすい。このため、第２レンズＧ２、第３レンズＧ３および第４レンズＧ４は、加工性や製造コストの点ですべて樹脂材料により構成されることが好ましい。第１レンズＧ１も製造コストを重視する場合には樹脂材料で構成することが好ましい。ただし、高性能化を図るために第１レンズＧ１をガラス材料で構成しても良い。
【００２７】
この撮像レンズは、以下の条件式（１）を満足することが好ましい。ただし、Ｒ１は第１レンズＧ１の物体側の面の曲率半径、Ｒ２は第２レンズＧ２の像側の面の曲率半径とする。
０．５＜（｜Ｒ２｜−Ｒ１）／（Ｒ１＋｜Ｒ２｜）  ……（１）
【００２８】
また、以下の条件を適宜選択的に満足することが好ましい。ただし、ｆは全体の焦点距離、ｆ２は第２レンズＧ２の焦点距離、ｆ３は第３レンズＧ３の焦点距離、ｆ４は第４レンズＧ４の焦点距離とする。ν１は第１レンズＧ１のｄ線に対するアッベ数、ν２は第２レンズＧ２のｄ線に対するアッベ数とする。Ｄ４は第２レンズＧ２と第３レンズＧ３との光軸上の間隔とする。Ｒ５は第３レンズＧ３の物体側の面の曲率半径、Ｒ６は第３レンズＧ３の像側の面の曲率半径とする。
０．６＜｜ｆ４／ｆ｜＜１．０  ……（２）
０．５＜｜ｆ２／ｆ｜＜４  ……（３）
０．５＜ｆ３／ｆ＜２  ……（４）
２０＜ν１−ν２  ……（５）
０．１＜Ｄ４／ｆ＜０．３  ……（６）
｜Ｒ５｜＞｜Ｒ６｜  ……（７）
【００２９】
図２０は、本実施の形態に係る撮像レンズを組み込んだカメラモジュールの一構成例を示している。また、図２１（Ａ），（Ｂ）は、図２０のカメラモジュールを搭載した撮像機器の一例として、カメラ付き携帯電話機を示している。
【００３０】
図２１（Ａ），（Ｂ）に示したカメラ付き携帯電話機は、上部筐体２Ａと下部筐体２Ｂとを備え、両者が図２１（Ａ）の矢印方向に回動自在に構成されている。下部筐体２Ｂには、操作キー２１などが設けられている。上部筐体２Ａには、カメラ部１（図２１（Ｂ））および表示部２２（図２１（Ａ））などが設けられている。表示部２２は、ＬＣＤ（液晶パネル）やＥＬ（Electro-Luminescence）パネルなどの表示パネルによって構成されている。表示部２２は、折りたたみ時に内面となる側に配置されている。この表示部２２には、電話機能に関する各種メニュー表示のほか、カメラ部１によって撮影された画像などを表示することが可能となっている。カメラ部１は、例えば上部筐体２Ａの裏面側に配置されている。ただし、カメラ部１を設ける位置は、これに限定されない。
【００３１】
カメラ部１は、本実施の形態に係るカメラモジュールを有している。このカメラモジュールは、図２０に示したように、撮像レンズ２０が収納される鏡筒３と、鏡筒３を支持する支持基板４と、支持基板４上において撮像レンズ２０の結像面に対応する位置に設けられた撮像素子（図示せず）とを備えている。このカメラモジュールはまた、支持基板４上の撮像素子に電気的に接続されたフレキシブル基板５と、フレキシブル基板５に電気的に接続されると共に、カメラ付き携帯電話機等における端末機器本体側の信号処理回路に接続可能に構成された外部接続端子６とを備えている。これらの構成要素は、一体的に構成されている。
【００３２】
図２０に示したカメラモジュールでは、撮像レンズ２０によって形成された光学像が撮像素子によって電気的な撮像信号に変換され、その撮像信号が、フレキシブル基板５および外部接続端子６を介して、撮像機器本体側の信号処理回路に出力される。ここで、このカメラモジュールにおいて、撮像レンズ２０として本実施の形態に係る撮像レンズを用いることで、収差補正の十分なされた高解像の撮像信号が得られる。撮像機器本体側では、その撮像信号に基づいて高解像の画像を生成することができる。
【００３３】
なお、本実施の形態に係る撮像機器は、カメラ付き携帯電話機に限らず、例えばデジタルスチルカメラやＰＤＡ等であっても良い。
【００３４】
次に、以上のように構成された撮像レンズの作用および効果、特に条件式に関する作用および効果をより詳細に説明する。
【００３５】
本実施の形態に係る撮像レンズでは、全体として４枚のレンズ構成において、各レンズのパワー配置を、物体側から順に正、負、正、負とし、各レンズの面形状を適切に設定すると共に、所定の条件式を満足することにより、全長の短縮化に有利であると共に高い結像性能を得るのに有利となる。特にこの撮像レンズでは、最も撮像側のレンズ（第４レンズＧ４）の光軸近傍における物体側の面形状を凹面または平面としながらも、全長の短縮化と結像性能に有利な構成されている。また、第４レンズＧ４が、負のパワーを有していることにより、バックフォーカスの確保に有利となる。仮に、第４レンズＧ４の正のパワーが強過ぎると、十分なバックフォーカスの確保が困難となる。
【００３６】
また、この撮像レンズでは、第１レンズＧ１、第２レンズＧ２、第３レンズＧ３および第４レンズＧ４のそれぞれが、少なくとも１面に非球面を用いることで、収差性能の維持により有利となる。特に、第４レンズＧ４では、第１レンズＧ１、第２レンズＧ２、および第３レンズＧ３に比べて、画角ごとに光束が分離される。このため、撮像素子に最も近い最終レンズ面である第４レンズＧ４の像側の面を、光軸近傍において像側に凹形状で周辺部において像側に凸形状となるようにすることで、画角ごとの収差補正が適切になされ、光束の撮像素子への入射角度が一定の角度以下に制御される。従って、結像面全域における光量むらを軽減することができると共に、像面湾曲や歪曲収差等の補正に有利となる。
【００３７】
一般に、撮像レンズ系では、テレセントリック性、すなわち、撮像素子への主光線の入射角度が光軸に対して平行に近く（撮像面における入射角度が撮像面の法線に対してゼロに近く）なることが好ましい。このテレセントリック性を確保するためには、絞りＳｔはできるだけ物体側に配置されることが好ましい。一方で、絞りＳｔが第１レンズＧ１の物体側のレンズ面からさらに物体側方向に離れた位置に配置されると、その分（絞りＳｔと最も物体側のレンズ面との距離）が光路長として加算されてしまうため、全体構成のコンパクト化の面で不利となる。従って、絞りＳｔを、光軸Ｚ１上において第１レンズＧ１の物体側のレンズ面頂点位置と同じ位置に配置するか、または第１レンズＧ１の物体側の面頂点位置と像側の面頂点位置との間に配置することにより、全長の短縮化を図りつつ、テレセントリック性を確保することができる。テレセントリック性の確保をより重視する場合には、光軸上において、第１レンズＧ１における物体側の面頂点位置と、第１レンズＧ１における物体側の面の端縁位置Ｅ（図２参照）との間に絞りＳｔを配置すれば良い、
以下、各条件式の具体的意義について説明する。
【００３８】
条件式（１）は、第１レンズＧ１の曲率半径に関するものである。条件式（１）を満足することで、像面湾曲が良好に補正される。像面湾曲が良好に補正されていないと、焦点位置に撮像素子を配置しても、結像領域の一部で良好な像が得られない部分がでてきてしまう。条件式（１）を満足することで、結像領域の全域にわたり焦点位置の周辺において良好な像を得ることができるので、撮像レンズと撮像素子の組み立て・調整が容易になる。また、条件式（１）を満足することにより、第１レンズＧ１の物体側の面の形状が比較的曲率が大きく前側に深い形状（曲率半径の小さい凸形状）となり、絞りＳｔを配置可能な空間が増える。これにより、絞り位置の自由度が高まり、第１レンズＧ１の物体側の面側に絞りＳｔを配置しやすくなる。
より良好な性能を得るために、条件式（１）の数値範囲は以下の範囲であることが好ましい。
０．６＜（｜Ｒ２｜−Ｒ１）／（Ｒ１＋｜Ｒ２｜）＜１．０  ……（１Ａ）
この条件式（１Ａ）の上限を超えると、第１レンズＧ１の各面の曲率が大きくなりすぎて、製造が困難になるおそれがある。
【００３９】
条件式（２）は、第４レンズＧ４の焦点距離ｆ４に関するもので、この数値範囲を上回り第４レンズＧ４のパワーが小さくなると全長の短縮化が困難となる。下回ると第４レンズＧ４のパワーが強くなり、それを打ち消すために第３レンズＧ３のパワーも強くしなければならないため軸外性能が劣化する。
【００４０】
条件式（３）は、第２レンズＧ２の焦点距離ｆ２に関するもので、この数値範囲を下回ると第２レンズＧ２のパワー−が強くなり過ぎて収差が増大する。上回るとパワーが小さくなり過ぎ、像面湾曲および非点収差等の補正が困難になる。
より良好な性能を得るために、条件式（３）の数値範囲は以下の範囲であることが好ましい。
０．９５＜｜ｆ２／ｆ｜＜３．５  ……（３Ａ）
【００４１】
条件式（４）は、第３レンズＧ３の焦点距離ｆ３に関するもので、この数値範囲を下回って第３レンズＧ３の正のパワーを強くすぎると性能が劣化し、バックフォーカスの確保も難しくなる。上回ると正のパワーが弱くなり過ぎて、十分な収差補正が困難となる。
より良好な性能を得るために、条件式（４）の数値範囲は以下の範囲であることが好ましい。
０．９＜ｆ３／ｆ＜１．７  ……（４Ａ）
【００４２】
条件式（５）は、第１レンズＧ１および第２レンズＧ２の分散を規定するものであり、この数値範囲を満足することにより軸上色収差の低減を図ることができる。
より良好な性能を得るために、条件式（５）の数値範囲は以下の範囲であることが好ましい。
２５＜ν１−ν２＜３３  ……（５Ａ）
この条件式（５Ａ）の上限を超えると、レンズ材料として使えるものが限られてしまい、材料のコストが高くなってしまう。
【００４３】
条件式（６）は、第２レンズＧ２および第３レンズＧ３間の間隔と全体の焦点距離ｆに関するもので、この数値範囲を上回ると全長の短縮化が困難となり、下回ると第２レンズＧ２および第３レンズＧ３間の間隔を十分確保できない。
より良好な性能を得るために、条件式（６）の数値範囲は以下の範囲であることが好ましい。
０．１５＜Ｄ４／ｆ＜０．２５  ……（６Ａ）
【００４４】
条件式（７）は、第３レンズＧ３の曲率半径に関するもので、第１レンズＧ１および第２レンズＧ２で発生した収差を補正するためには、物体側の面の曲率半径Ｒ５の絶対値が、像側の面の曲率半径Ｒ６に比べて相対的に大きい方が好ましい。
【００４５】
以上説明したように、本実施の形態に係る撮像レンズによれば、コンパクト化と高い結像性能を実現できる。また、本実施の形態に係るカメラモジュールによれば、コンパクト化と共に高い結像性能を有する撮像レンズによって形成された光学像に応じた撮像信号を出力するようにしたので、モジュール全体としての小型化を図れると共に高解像の撮像信号を得ることができる。また、本実施の形態に係る撮像機器によれば、そのカメラモジュールを搭載するようにしたので、カメラ部分の小型化を図れると共に高解像の撮像信号を得て、その撮像信号に基づいて高解像の撮影画像を得ることができる。
【実施例】
【００４６】
次に、本実施の形態に係る撮像レンズの具体的な数値実施例について説明する。以下では、複数の数値実施例をまとめて説明する。
【００４７】
図７（Ａ），（Ｂ）は、図１に示した撮像レンズの構成に対応する具体的なレンズデータを示している。特に図７（Ａ）にはその基本的なレンズデータを示し、図７（Ｂ）には非球面に関するデータを示す。図７（Ａ）に示したレンズデータにおける面番号Ｓｉの欄には、実施例１に係る撮像レンズについて、最も物体側のレンズ要素の面を１番目（絞りＳｔを０番目）として、像側に向かうに従い順次増加するようにして符号を付したｉ番目の面の番号を示している。曲率半径Ｒｉの欄には、図１において付した符号Ｒｉに対応させて、物体側からｉ番目の面の曲率半径の値（ｍｍ）を示す。面間隔Ｄｉの欄についても、同様に物体側からｉ番目の面Ｓｉとｉ＋１番目の面Ｓｉ＋１との光軸上の間隔（ｍｍ）を示す。Ｎｄｊの欄には、物体側からｊ番目の光学要素のｄ線（５８７．６ｎｍ）に対する屈折率の値を示す。νｄｊの欄には、物体側からｊ番目の光学要素のｄ線に対するアッベ数の値を示す。図７（Ａ）の欄外には、諸データとして、全系の焦点距離ｆ（ｍｍ）、Ｆナンバー（Ｆｎｏ．）の値を示す。
【００４８】
この実施例１に係る撮像レンズは、第１レンズＧ１ないし第４レンズＧ４の両面がすべて非球面形状となっている。図７（Ａ）の基本レンズデータには、これらの非球面の曲率半径として、光軸近傍の曲率半径の数値を示している。
【００４９】
図７（Ｂ）には実施例１の撮像レンズにおける非球面データを示す。非球面データとして示した数値において、記号“Ｅ”は、その次に続く数値が１０を底とした“べき指数”であることを示し、その１０を底とした指数関数で表される数値が“Ｅ”の前の数値に乗算されることを示す。例えば、「１．０Ｅ−０２」であれば、「１．０×１０-2」であることを示す。
【００５０】
非球面データとしては、以下の式（Ａ）によって表される非球面形状の式における各係数Ａｉ，Ｋの値を記す。Ｚは、より詳しくは、光軸から高さｈの位置にある非球面上の点から、非球面の頂点の接平面（光軸に垂直な平面）に下ろした垂線の長さ（ｍｍ）を示す。実施例１の撮像レンズでは、各非球面が、非球面係数Ａｉとして、第３次〜第１０次の係数Ａ３〜Ａ１０を有効に用いて表されている。
【００５１】
Ｚ＝Ｃ・ｈ2／｛１＋（１−Ｋ・Ｃ2・ｈ2）1/2｝＋ΣＡｉ・ｈi  ……（Ａ）
ただし、
Ｚ：非球面の深さ（ｍｍ）
ｈ：光軸からレンズ面までの距離（高さ）（ｍｍ）
Ｋ：離心率
Ｃ：近軸曲率＝１／Ｒ
（Ｒ：近軸曲率半径）
Ａｉ：第ｉ次（ｉは３以上の整数）の非球面係数
【００５２】
以上の実施例１の撮像レンズと同様にして、図２に示した撮像レンズの構成に対応する具体的なレンズデータを実施例２として、図８（Ａ），（Ｂ）に示す。また同様にして、図３〜図６に示した撮像レンズの構成に対応する具体的なレンズデータを実施例３ないし実施例６として、図９（Ａ），（Ｂ）〜図１２（Ａ），（Ｂ）に示す。これらの実施例２〜６では、実施例１の撮像レンズと同様、第１レンズＧ１ないし第４レンズＧ４の両面がすべて非球面形状となっている。
【００５３】
なお、実施例１ないし実施例６のレンズは、第１レンズＧ１ないし第４レンズＧ４がすべて樹脂材料とされている。
【００５４】
また、図１３には、上述の各条件式に関する値を、各実施例についてまとめたものを示す。図１３に示したように、各実施例について、すべて各条件式の数値範囲内となっている。
【００５５】
図１４（Ａ）〜（Ｃ）はそれぞれ、実施例１の撮像レンズにおける球面収差、非点収差、およびディストーション（歪曲収差）を示している。各収差図には、ｄ線（５８７．６ｎｍ）を基準波長とした収差を示す。球面収差図には、ｇ線（波長４３５．８ｎｍ），Ｃ線（波長６５６．３ｎｍ）についての収差も示す。非点収差図において、実線はサジタル方向、破線はタンジェンシャル方向の収差を示す。Ｆｎｏ．はＦ値、ωは半画角を示す。
【００５６】
同様に、実施例２の撮像レンズについての諸収差を図１５（Ａ）〜（Ｃ）に示す。同様にして、実施例３の撮像レンズについての諸収差を図１６（Ａ）〜（Ｃ）に、実施例４の撮像レンズについての諸収差を図１７（Ａ）〜（Ｃ）に、実施例５の撮像レンズについての諸収差を図１８（Ａ）〜（Ｃ）に、実施例６の撮像レンズについての諸収差を図１９（Ａ）〜（Ｃ）に示す。
【００５７】
以上の各数値データおよび各収差図から分かるように、各実施例について、全長が短縮化され、コンパクト化と共に高い結像性能が実現されている。
【００５８】
なお、本発明は、上記実施の形態および各実施例に限定されず種々の変形実施が可能である。例えば、各レンズ成分の曲率半径、面間隔および屈折率の値などは、上記各数値実施例で示した値に限定されず、他の値をとり得る。
【図面の簡単な説明】
【００５９】
【図１】本発明の一実施の形態に係る撮像レンズの第１の構成例を示すものであり、実施例１に対応するレンズ断面図である。
【図２】本発明の一実施の形態に係る撮像レンズの第２の構成例を示すものであり、実施例２に対応するレンズ断面図である。
【図３】本発明の一実施の形態に係る撮像レンズの第３の構成例を示すものであり、実施例３に対応するレンズ断面図である。
【図４】本発明の一実施の形態に係る撮像レンズの第４の構成例を示すものであり、実施例４に対応するレンズ断面図である。
【図５】本発明の一実施の形態に係る撮像レンズの第５の構成例を示すものであり、実施例５に対応するレンズ断面図である。
【図６】本発明の一実施の形態に係る撮像レンズの第６の構成例を示すものであり、実施例６に対応するレンズ断面図である。
【図７】本発明の実施例１に係る撮像レンズのレンズデータを示す図であり、（Ａ）は基本的なレンズデータを示し、（Ｂ）は非球面に関するデータを示す。
【図８】本発明の実施例２に係る撮像レンズのレンズデータを示す図であり、（Ａ）は基本的なレンズデータを示し、（Ｂ）は非球面に関するデータを示す。
【図９】本発明の実施例３に係る撮像レンズのレンズデータを示す図であり、（Ａ）は基本的なレンズデータを示し、（Ｂ）は非球面に関するデータを示す。
【図１０】本発明の実施例４に係る撮像レンズのレンズデータを示す図であり、（Ａ）は基本的なレンズデータを示し、（Ｂ）は非球面に関するデータを示す。
【図１１】本発明の実施例５に係る撮像レンズのレンズデータを示す図であり、（Ａ）は基本的なレンズデータを示し、（Ｂ）は非球面に関するデータを示す。
【図１２】本発明の実施例６に係る撮像レンズのレンズデータを示す図であり、（Ａ）は基本的なレンズデータを示し、（Ｂ）は非球面に関するデータを示す。
【図１３】条件式に関する値を各実施例についてまとめて示した図である。
【図１４】本発明の実施例１に係る撮像レンズの諸収差を示す収差図であり、（Ａ）は球面収差、（Ｂ）は非点収差、（Ｃ）はディストーションを示す。
【図１５】本発明の実施例２に係る撮像レンズの諸収差を示す収差図であり、（Ａ）は球面収差、（Ｂ）は非点収差、（Ｃ）はディストーションを示す。
【図１６】本発明の実施例３に係る撮像レンズの諸収差を示す収差図であり、（Ａ）は球面収差、（Ｂ）は非点収差、（Ｃ）はディストーションを示す。
【図１７】本発明の実施例４に係る撮像レンズの諸収差を示す収差図であり、（Ａ）は球面収差、（Ｂ）は非点収差、（Ｃ）はディストーションを示す。
【図１８】本発明の実施例５に係る撮像レンズの諸収差を示す収差図であり、（Ａ）は球面収差、（Ｂ）は非点収差、（Ｃ）はディストーションを示す。
【図１９】本発明の実施例６に係る撮像レンズの諸収差を示す収差図であり、（Ａ）は球面収差、（Ｂ）は非点収差、（Ｃ）はディストーションを示す。
【図２０】本発明の一実施の形態に係るカメラモジュールの一構成例を示す斜視図である。
【図２１】本発明の一実施の形態に係る撮像機器の一構成例を示す斜視図である。
【符号の説明】
【００６０】
Ｇ１…第１レンズ、Ｇ２…第２レンズ、Ｇ３…第３レンズ、Ｇ４…第４レンズ、Ｓｔ…開口絞り、Ｒｉ…物体側から第ｉ番目のレンズ面の曲率半径、Ｄｉ…物体側から第ｉ番目と第ｉ＋１番目のレンズ面との面間隔、Ｚ１…光軸。
【図１】
2010102162.tif 000003
【図２】
2010102162.tif 000004
【図３】
2010102162.tif 000005
【図４】
2010102162.tif 000006
【図５】
2010102162.tif 000007
【図６】
2010102162.tif 000008
【図７】
2010102162.tif 000009
【図８】
2010102162.tif 000010
【図９】
2010102162.tif 000011
【図１０】
2010102162.tif 000012
【図１１】
2010102162.tif 000013
【図１２】
2010102162.tif 000014
【図１３】
2010102162.tif 000015
【図１４】
2010102162.tif 000016
【図１５】
2010102162.tif 000017
【図１６】
2010102162.tif 000018
【図１７】
2010102162.tif 000019
【図１８】
2010102162.tif 000020
【図１９】
2010102162.tif 000021
【図２０】
2010102162.tif 000022
【図２１】
2010102162.tif 000023